(57)【要約】【課題】  電子機器収納ラック群への人のアクセスを一体的に規制するセキュリティ装置を提供すること。【解決手段】  本発明は、内部に電子機器を有する複数の電子機器収納ラック２が複数の列をなすように設置された電子機器収納ラック群において、対向する電子機器収納ラック２の列の間に形成される通路の両端に位置し、通路を遮蔽する壁体１０と、壁体を支持する支持体２０とを備え、壁体１０はロック装置３０を備え、ロック装置３０を施錠することにより、電子機器収納ラック群へのアクセスを一体的に規制する。【選択図】    図1-1Ａ
2011187813.tif 000002
【特許請求の範囲】
【請求項１】
内部に電子機器を有する複数の電子機器収納ラックが複数の列をなすように設置された電子機器収納ラック群において、
対向する前記電子機器収納ラックの前記列の間に形成される通路の両端に位置し、前記通路を遮蔽する壁体と、
前記壁体を支持する支持体と、を備え、
前記壁体は、ロック装置を備え、
前記ロック装置を施錠することにより、前記電子機器収納ラック群へのアクセスを一体的に規制するセキュリティ装置。
【請求項２】
前記支持体は、前記通路の両側の前記列の端に位置する前記電子機器収納ラックの側面の上部に当接し、前記通路に跨設されるレールを備え、
前記壁体は、柱部と扉部からなり、
前記柱部は、前記通路の両側の前記列の端に位置する対向する一組の前記電子機器収納ラックの一方の前記電子機器収納ラックの側面の一部に当接するように設置され、
前記扉部は、前記レールに摺接自在に懸架され、
前記ロック装置により前記柱部と前記扉部が係合することより施錠されることを特徴とする請求項１に記載のセキュリティ装置。
【請求項３】
前記支持体は、前記通路の両側の前記列の端に位置する対向する一組の前記電子機器収納ラックの一方の前記電子機器収納ラックの側面の一部に当接するように設置される柱を備え、
前記壁体は、柱部と扉部からなり、
前記柱部は、前記通路の両側の前記列の端に位置する前記対向する一組の前記電子機器収納ラックの他方の前記電子機器収納ラックの側面の一部に当接するように設置され、
前記扉部は、前記柱に開閉自在に支持され、
前記ロック装置により前記柱部と前記扉部が係合することより施錠されることを特徴とする請求項１に記載のセキュリティ装置。
【請求項４】
前記支持体は、前記通路の両側の前記列の端に位置する前記電子機器収納ラックの側面の上部又は上面の端部に当接し、前記通路に跨設されるレールを備え、
前記壁体は、２つの扉部からなり、
前記２つの扉部は、前記レールにそれぞれ摺接自在に懸架され、
前記ロック装置により前記２つの扉部が互いに係合することより施錠されることを特徴とする請求項１に記載のセキュリティ装置。
【請求項５】
前記支持体は、前記通路の両側の前記列の端に位置する前記電子機器収納ラックの側面の一部に当接するように設置される柱を備え、
前記壁体は、２つの扉部からなり、
前記２つの扉部は、前記柱にそれぞれ開閉自在に支持され、
前記ロック装置により前記２つの扉部が互いに係合することより施錠されることを特徴とする請求項１に記載のセキュリティ装置。
【請求項６】
前記支持体は、前記通路の両側の前記列の端に位置する前記電子機器収納ラックの側面の下部に当接するレールをさらに備えることを特徴とする請求項２又は４に記載のセキュリティ装置。
【請求項７】
前記壁体は、前記ロック装置を解錠するための非接触カードリーダ及び／又は前記通路の両側に位置する前記電子機器収納ラックのそれぞれの温度、湿度及び電流の値を表示する状態表示部をさらに備え、前記ロック装置は電気錠であることを特徴とする請求項１乃至６に記載のセキュリティ装置。
【請求項８】
前記通路への人の侵入を阻止するための、前記通路の上方に位置し前記通路を遮蔽する天井体をさらに備えることを特徴とする請求項１乃至７に記載のセキュリティ装置。
【発明の詳細な説明】
【技術分野】
【０００１】
本発明は、電子機器収納ラックへの人のアクセスを規制するセキュリティ装置に関する。
【背景技術】
【０００２】
近年、データセンター等に設置されるサーバーや通信機器などの電子機器群においては、人のこれら電子機器へ不正なアクセスや不用意な接触を避けるため、人の電子機器への物理的なアクセスを規制している。一般的にこのような規制を行う手法として、データセンターや電算機室への入室を規制するだけでなく、電子機器群を収納するラック単位でロック装置を設け、これら電子機器へのアクセスを規制している。
【０００３】
このような先行技術として、特許文献１と特許文献２がある。
特許文献１には、 収容されている電子機器のセキュリティを高める電子機器収容ラックを提供することを目的とし、 電子機器収容ラックは、内部に電子機器を収容するラック本体と、ラック本体の前面に設けられた扉とから構成され、扉の左端部の中央には扉を開閉するための取っ手が設けられ、扉の取っ手には、第一のロック装置が、また取っ手の上部には第二のロック装置が、それぞれ独立して設けられ、これにより、第一のロック装置と第二のロック装置とで扉の解錠を行うことによって、扉を開けることができる電子機器収容ラックの構成が開示されている。
また、特許文献２にも、収納された機器のメンテナンス作業がしやすいラックの構造を提供することを目的とし、ラックの構造は、ラックの側面に取り付けられるサイドパネルを前面側と背面側とに分割し、回動動作によりそれぞれ前面側と背面側を開閉可能とし、パネルのそれぞれを施錠すると共に、施錠に用いる鍵は、扉体に取り付けた鍵と統一し、セキュリティ機能は保持しつつ、メンテナンス作業をしやすくしたことを特徴とする構成が開示されている。
【先行技術文献】
【特許文献】
【０００４】
【特許文献１】実案登録３０５８０９７号公報
【特許文献２】特開２００７−２６６３４８号公報
【発明の概要】
【発明が解決しようとする課題】
【０００５】
しかし、大規模なデータセンターになると、電子機器収納ラックが複数の列をなすように設置されるので、大量の電子機器収納ラックのセキュリティを確保する必要があるが、上記従来技術では各電子機器収納ラックのドアなどに機械式錠又は電気式錠が設けられているので、機械式錠の場合は鍵の管理が煩雑になり、また、電気式錠の場合には各電子機器収納ラックに非接触カードリーダを取り付けたり、配線が複雑化するなどし設置に多額のコストがかかるなどの問題があった。
そこで、本発明は、上記問題に鑑みてなされたものであり、本発明の目的とするところは、電子機器収納ラック群への人のアクセスを一体的に規制するセキュリティ装置を提供することにある。
【課題を解決するための手段】
【０００６】
上記課題を解決するために、本発明のある観点によれば、内部に電子機器を有する複数の電子機器収納ラックが複数の列をなすように設置された電子機器収納ラック群において、対向する前記電子機器収納ラックの前記列の間に形成される通路の両端に位置し、前記通路を遮蔽する壁体と、前記壁体を支持する支持体と、を備え、前記壁体は、ロック装置を備え、前記ロック装置を施錠することにより、前記電子機器収納ラック群へのアクセスを一体的に規制するセキュリティ装置が提供される。
この構成によれば、通路の両側に設置される電子機器収納ラック群への人のアクセスを一体的に規制することが可能となる。
【０００７】
また、このセキュリティ装置において、前記支持体は、前記通路の両側の前記列の端に位置する前記電子機器収納ラックの側面の上部に当接し、前記通路に跨設されるレールを備え、前記壁体は、柱部と扉部からなり、前記柱部は、前記通路の両側の前記列の端に位置する対向する一組の前記電子機器収納ラックの一方の前記電子機器収納ラックの側面の一部に当接するように設置され、前記扉部は、前記レールに摺接自在に懸架され、前記ロック装置により前記柱部と前記扉部が係合することより施錠されることを特徴としてもよい。
この構成によれば、既存の電子機器収納ラックに対しても容易に設置することができ、扉部が引き戸として機能するので、扉部の前面に大きなスペースは不要とすることができる。
【０００８】
また、このセキュリティ装置において、前記支持体は、前記通路の両側の前記列の端に位置する対向する一組の前記電子機器収納ラックの一方の前記電子機器収納ラックの側面の一部に当接するように設置される柱を備え、前記壁体は、柱部と扉部からなり、前記柱部は、前記通路の両側の前記列の端に位置する前記対向する一組の前記電子機器収納ラックの他方の前記電子機器収納ラックの側面の一部に当接するように設置され、前記扉部は、前記柱に開閉自在に支持され、前記ロック装置により前記柱部と前記扉部が係合することより施錠されることを特徴としてもよい。
この構成によれば、既存の電子機器収納ラックに対しても容易に設置することができ、柱部と扉部、扉部と柱が密着するので、気密性や遮音性も良くなる。
【０００９】
また、このセキュリティ装置において、前記支持体は、前記通路の両側の前記列の端に位置する前記電子機器収納ラックの側面の上部又は上面の端部に当接し、前記通路に跨設されるレールを備え、前記壁体は、２つの扉部からなり、前記２つの扉部は、前記レールにそれぞれ摺接自在に懸架され、前記ロック装置により前記２つの扉部が互いに係合することより施錠されることを特徴としてもよい。
この構成によれば、既存の電子機器収納ラックに対しても容易に設置することができ、扉部が引き戸として機能するので、扉部の前面に大きなスペースは不要とすることができると共に、半分ずつ扉部を開くことができる。
【００１０】
また、このセキュリティ装置において、前記支持体は、前記通路の両側の前記列の端に位置する前記電子機器収納ラックの側面の一部に当接するように設置される柱を備え、前記壁体は、２つの扉部からなり、前記２つの扉部は、前記柱にそれぞれ開閉自在に支持され、前記ロック装置により前記２つの扉部が互いに係合することより施錠されることを特徴としてもよい。
この構成によれば、既存の電子機器収納ラックに対しても容易に設置することができ、扉部が開き戸として機能するので、柱部と扉部、扉部と柱が密着し気密性や遮音性も良くなると共に、扉部の前面に大きなスペースは不要とすることができる。
【００１１】
また、このセキュリティ装置において、前記支持体は、前記通路の両側の前記列の端に位置する前記電子機器収納ラックの側面の下部に当接するレールをさらに備えることを特徴としてもよい。
この構成によれば、扉部の下部のばたつきを抑えることができる。
【００１２】
また、このセキュリティ装置において、前記壁体は、前記ロック装置を解錠するための非接触カードリーダ及び／又は前記通路の両側に位置する前記電子機器収納ラックのそれぞれの温度、湿度及び電流の値を表示する状態表示部をさらに備え、前記ロック装置は電気錠であることを特徴としてもよい。
この構成によれば、通路の両側に設置される電子機器収納ラック群ごとに１又は２個の非接触カードリーダで、このラック群全体のセキュリティを一体的に確保することができる。これにより、非接触カードリーダや電気錠を各電子機器収納ラックに取り付けていたセキュリティ装置に比べ、設置費用（工数）を低減できると共に、管理者の負担も軽減することができる。また、各電子機器収納ラック内の温度、湿度、使用している電流値が表示される表示装置を壁体に備えることにより、現場でラック内の状態を集中的に確認できる。
【００１３】
また、このセキュリティ装置において、前記通路への人の侵入を阻止するための、前記通路の上方に位置し前記通路を遮蔽する天井体をさらに備えることを特徴としてもよい。
この構成によれば、人が壁体（扉部）を乗り越えて侵入することを阻止することができる。
【発明の効果】
【００１４】
以上説明したように、本発明によれば、電子機器収納ラック群への人のアクセスを一体的に規制することができる。
【図面の簡単な説明】
【００１５】
【図１−１Ａ】本発明の第１の実施形態を示した正面図。
【図１−１Ｂ】本発明の第１の実施形態を示した側面図。
【図１−１Ｃ】本発明の第１の実施形態を示した平面図。
【図１−２Ａ】本発明の第１の実施形態におけるロック装置の詳細正面図（部分）。
【図１−２Ｂ】本発明の第１の実施形態におけるロック装置の詳細断面図（部分）。
【図１−３Ａ】本発明の第１の実施形態におけるレール（支持体）付近の詳細側面図（部分）。
【図１−３Ｂ】本発明の第１の実施形態におけるレール（支持体）付近の詳細正面図（部分）。
【図２−１Ａ】本発明の第２の実施形態を示した正面図。
【図２−１Ｂ】本発明の第２の実施形態を示した側面図。
【図２−１Ｃ】本発明の第２の実施形態を示した平面図。
【図２−２Ａ】本発明の第２の実施形態におけるロック装置の詳細正面図（部分）。
【図２−２Ｂ】本発明の第２の実施形態におけるロック装置の詳細断面図（部分）。
【図２−３Ａ】本発明の第２の実施形態におけるレール（支持体）付近及び上部ロック装置の詳細正面図（部分）。
【図２−３Ｂ】本発明の第２の実施形態におけるレール（支持体）付近及び上部ロック装置の詳細側面図（部分）。
【図２−３Ｃ】本発明の第２の実施形態におけるレール（支持体）付近及び上部ロック装置の詳細平面図（部分）。
【図３−１Ａ】本発明の第３の実施形態を示した正面図。
【図３−１Ｂ】本発明の第３の実施形態を示した側面図。
【図３−１Ｃ】本発明の第３の実施形態を示した平面図。
【図３−２Ａ】本発明の第３の実施形態におけるロック装置の詳細正面図（部分）。
【図３−２Ｂ】本発明の第３の実施形態におけるロック装置の詳細断面図（部分）。
【図３−３】本発明の第３の実施形態における柱（支持体）付近の詳細図（部分）。
【図４−１Ａ】本発明の第４の実施形態を示した正面図。
【図４−１Ｂ】本発明の第４の実施形態を示した側面図。
【図４−１Ｃ】本発明の第４の実施形態を示した平面図。
【図４−２Ａ】本発明の第４の実施形態におけるロック装置の詳細正面図（部分）。
【図４−２Ｂ】本発明の第４の実施形態におけるロック装置の詳細断面図（部分）。
【図４−３Ａ】本発明の第４の実施形態における上部ロック装置の詳細正面図（部分）。
【図４−３Ｂ】本発明の第４の実施形態における上部ロック装置の詳細側面図（部分）。
【図４−３Ｃ】本発明の第４の実施形態における上部ロック装置の詳細平面図（部分）。
【図５−１Ａ】本発明の第５の実施形態を示した正面図。
【図５−１Ｂ】本発明の第５の実施形態を示した側面図。
【図５−１Ｃ】本発明の第５の実施形態を示した平面図。
【図５−２】本発明の第５の実施形態におけるヒンジ（支持体）付近の詳細図（部分）。
【図６−１Ａ】本発明の第６の実施形態を示した正面図。
【図６−１Ｂ】本発明の第６の実施形態を示した側面図。
【図６−１Ｃ】本発明の第６の実施形態を示した平面図。
【図７】本発明の一実施形態をおけるラック内状態表示部。
【発明を実施するための形態】
【００１６】
以下では、図面を参照しながら、本発明の各実施形態に係る装置について説明する。
＜第１実施形態＞
図１−１Ａは、本発明の第１の実施形態を示した正面図である。内部に電子機器を有する電子機器収納ラック２が両端にあり、セキュリティ装置１は、この２つの電子機器収納ラック２の間に位置している。本図においては電子機器収納ラック２を２つのみ表わしているが、これに限定するものではなく、図の奥行き方向に電子機器収納ラック２が列をなして並べられる（これは、図１−１Ｂ等で示される）と共に、その列が２つ以上平行に配置されるのが通常である。したがって、例えば、右側の電子機器収納ラック２の右にさらに通路を挟んで電子機器収納ラック２が設置され、左側の電子機器収納ラック２の左にさらに通路を挟んで電子機器収納ラック２が設置されているような場合、セキュリティ装置１は、電子機器収納ラック２の列の間に形成されるすべての通路（本図では図示せず）に設けられてもよいし、一つ置きに設けられてもよい。
【００１７】
セキュリティ装置１は、壁体１０とこの壁体を支持する支持体２０を備え、これらは、電子機器収納ラック２の列の間に形成される通路の両端に位置しており、この正面側に対して裏面側にも同じ構成が形成されている（これは、図１−１Ｂ等で示される）。壁体１０は通路を遮蔽し、またロック装置３０を有する。ロック装置３０を解錠すれば、人は通路の両側にある電子機器収納ラック２にアクセスでき、施錠すれば両側の電子機器収納ラック２へのアクセスを一体的に規制する。
【００１８】
さらに詳しく説明すると、支持体２０は、電子機器収納ラック２の列の一番端に位置し、通路の両側にある２つの電子機器収納ラック２、即ち、本図では一番手前にある２つの電子機器収納ラック２及び奥行き方向にある電子機器収納ラック２の内の一番奥にある２つの電子機器収納ラック２の側面の上部に当接して、通路に跨設されるレール２０１を備える。
【００１９】
また、壁体１０は、柱部１０２と扉部１０１からなる。柱部１０２は、電子機器収納ラック２の列の一番端に位置し、通路の両側にある２つの電子機器収納ラック２の内、一方の電子機器収納ラック２の側面の一部に当接するように設置され、具体的には、電子機器収納ラック２の側壁にネジ止めや接着剤などにより固定される。
【００２０】
扉部１０１は、通路を塞ぐ高さと幅を有し、支持体２０のレール２０１に摺接自在に懸架される（詳細は後述する）。人が通路の両側の電子機器収納ラック２にアクセスする場合には、人はロック装置３０を解錠すると共に取っ手１０５を持ち、扉部１０１を図上右方向に開ける。逆に、人が通路の両側の電子機器収納ラック２にアクセスすることを規制する場合には、人は取っ手１０５を持ち、扉部１０１を図上左方向に閉め、柱部１０２の右端に扉部１０１の左端を当て、ロック装置３０を施錠し、柱部１０２と扉部１０１を係合させることにより、アクセスすることを規制することが可能となる。
【００２１】
セキュリティ装置１は、さらに、天井体４０を備え、人が壁体１０を乗り越えて通路に侵入することを防止する。また、セキュリティ装置１は非接触カードリーダ１０３を柱部１０２に備え、人が所持する非接触ＩＣカードを非接触カードリーダ１０３にかざし、照合操作を行い、アクセス可能な人であると確認された場合には、ロック装置３０を解錠する。これを実現するためには、非接触カードリーダ１０３とロック装置３０と共に、これらを制御する制御装置（図示せず）が必要となる。この構成によれば、通路の両側に設置される電子機器収納ラック群ごとに１又は２個の非接触カードリーダで、このラック群全体のセキュリティを一体的に確保することができる。これにより、非接触カードリーダや電気錠を各電子機器収納ラックに取り付けていたセキュリティ装置に比べ、設置費用（工数）を低減できると共に、管理者の負担も軽減することができる。
【００２２】
さらにまた、セキュリティ装置１はラック内状態表示部１０４を柱部１０２に備え、各電子機器収納ラック２内の温度、湿度及び電流の値を表示する。これにより、各電子機器収納ラック２内の温度、湿度、使用している電流値がそれぞれ表示されるので、現場でラック内の状態を集中的に確認できる。
【００２３】
図１−１Ｂは、本発明の第１の実施形態を示した側面図である。本図では、３台の電子機器収納ラック２が一つの列をなしているが、もちろんこの台数に限定されるものではない。セキュリティ装置１は、電子機器収納ラック２の列の間に形成される通路の両端に配置されている。支持体２０は、電子機器収納ラック２の列の一番端に位置し、通路の両側にある２つの電子機器収納ラック２の側面の上部に当接している。本図中、右側のセキュリティ装置１は、非接触カードリーダ１０３を備える柱部１０２が示され、左側のセキュリティ装置１は、扉部１０１が示されている。
【００２４】
図１−１Ｃは、本発明の第１の実施形態を示した平面図である。上述の通り、セキュリティ装置１は、電子機器収納ラック２の列の間に形成される通路の両端に、扉部１０１などとして配置されている。本実施形態では、その通路の上部に、天井体４０を備える。天井体４０は、天井体４０の周囲を、電子機器収納ラック２の天井部と、通路の両端において支持体２０によって支持され、設置されている。したがって、人が侵入する余地はなく、人の侵入防止をより強固なものとしている。
【００２５】
図１−２Ａは、本発明の第１の実施形態におけるロック装置の詳細を、部分的に表わした正面図である。なお、壁体１０に備えられたロック装置３０は、壁体１０の内部にあるので、点線で表わしている。ロック装置３０は、扉部１０１は引き戸なので、引き戸用の電気錠である。柱部１０２に引き戸用の電気錠の本体が備えられ、扉部１０１に本体の鎌が係合する受座が備えられ、施錠する時には、扉部１０１が柱部１０２に当たった状態で、コネクターを経由して施錠信号を受けた電気錠の本体から鎌が受座に掛かり、施錠される。なお、本実施形態では電気錠を用いたが、機械式錠を用いてもよい。この場合は、非接触カードリーダ１０３は用いられず、代わりに通常物理的な鍵を用いる。
【００２６】
図１−２Ｂは、本発明の第１の実施形態におけるロック装置の詳細を、部分的に表わした断面図である。上述のとおり、柱部１０２は電子機器収納ラック２の側面の一部に取り付けられ、ロック装置３０の電気錠の本体が備えられている。本実施形態では、柱部１０２の扉部１０１側の面と電子機器収納ラック２の通路３側の面とが一致しているが、これに限定されるものではない。柱部１０２の扉部１０１側の反対の面の位置、即ち、柱部１０２の幅は、ロック装置３０の電気錠の本体を備えることができ、柱部１０２を電子機器収納ラック２に固定できるに十分な幅であればよい。また、柱部１０２の厚さと扉部１０１の厚さはほぼ等しく描かれているが、これに限定されるものではない。
【００２７】
図１−３Ａは、本発明の第１の実施形態における支持体２０のレール付近の詳細を、部分的に表わした側面図である。支持体２０は、レール２０１、ローラ２０２、壁体吊り下げ部材２０３、ローラ取り付け部材２０４などからなり、電子機器収納ラック２の側面の上部に当接し、扉部１０１を上から吊り下げ支持している。支持体２０のローラ取り付け部材２０４は、電子機器収納ラック２の天井部に強固に取り付けられ、その他の部材を支持していると共に、天井体４０とも結合されている。なお、本実施形態では、支持体２０は電子機器収納ラック２の側面の上部に当接しているが、これに限定されるものではない。例えば、電子機器収納ラック２の天井部上面の端にレールを備え、そのレールに引っ掛かり摺接する部材が、扉部１０１を吊り下げてもよい。
【００２８】
図１−３Ｂは、本発明の第１の実施形態における支持体のレール付近の詳細を、部分的に表わした正面図である。なお、ローラなどの部材は支持体２０の内部に備えられているので、点線で表わしている。レール２０１の上を２つのローラ２０２が一組となり図上左右に動く。もちろん、ローラ２０２の数はこれに限定されるものではない。壁体吊り下げ部材２０３は、一組のローラ２０２の下方に結合され、その壁体吊り下げ部材２０３の先に扉部１０１が吊り下げられる。これにより、扉部１０１は、レール２０１に摺接自在に懸架され、電子機器収納ラック２の側面に沿って動くことができる。
【００２９】
＜第２実施形態＞
図２−１Ａは、本発明の第２の実施形態を示した正面図である。なお、上記実施形態と重複する説明は省略する。
セキュリティ装置１Ａは、壁体１０Ａとこの壁体を支持する支持体２０Ａを備える。支持体２０Ａは、電子機器収納ラック２の列の一番端に位置し、通路の両側にある２つの電子機器収納ラック２、即ち、本図では一番手前にある２つの電子機器収納ラック２及び奥行き方向にある電子機器収納ラック２の内の一番奥にある２つの電子機器収納ラック２の側面の上部に、一方の電子機器収納ラック２の前面から他方の電子機器収納ラック２の前面までのほぼ全体に亘り、当接するように配置されると共に、通路に跨設されるレール２０１Ａを備える。
【００３０】
壁体１０Ａは、通路を塞ぐ程度の高さと２つで通路を塞ぐ程度の幅を有した、２つの扉部１０１Ａからなる。扉部１０１Ａは、支持体２０Ａのレール２０１Ａにそれぞれ摺接自在に懸架される。人が通路の両側の電子機器収納ラック２にアクセスする場合には、人はロック装置３０を解錠すると共に、上部ロック装置３５を備えない方の扉部１０１Ａの取っ手１０５を持ち、その扉部１０１Ａを図上右方向に開ける。さらに大きく扉部をあけるために上部ロック装置３５を解錠し、上部ロック装置３５を備える方の扉部１０１Ａの取っ手１０５を持ち、その扉部１０１Ａを図上左方向に開けることもできる。逆に、人が通路の両側の電子機器収納ラック２にアクセスすることを規制する場合には、人は取っ手１０５を持ち、上部ロック装置３５を備える方の扉部１０１Ａを閉め、上部ロック装置３５を施錠すると共に、２つの扉部１０１Ａ同士を当て、ロック装置３０を施錠し、２つの扉部１０１Ａを係合させることにより、アクセスすることを規制することが可能となる。この構成によれば、扉部が引き戸として機能するので、扉部の前面に大きなスペースは不要とすることができると共に、半分ずつ扉部を開けたり閉めたりすることができる。
【００３１】
また、セキュリティ装置１Ａは非接触カードリーダ１０３を扉部１０１Ａに備え、人が所持する非接触ＩＣカードを非接触カードリーダ１０３にかざし、照合操作を行い、アクセス可能な人であると確認された場合には、ロック装置３０を解錠する。さらにまた、セキュリティ装置１Ａはラック内状態表示部１０４を扉部１０１Ａに備え、各電子機器収納ラック２内の温度、湿度及び電流の値を表示する。
【００３２】
図２−１Ｂは、本発明の第２の実施形態を示した側面図である。支持体２０Ａは、電子機器収納ラック２の列の一番端に位置し、通路の両側にある２つの電子機器収納ラック２の側面の上部に当接している。本図中、セキュリティ装置１Ａは、両側とも非接触カードリーダ１０３を備える扉部１０１Ａが示されている。
【００３３】
図２−１Ｃは、本発明の第２の実施形態を示した平面図である。セキュリティ装置１Ａは、電子機器収納ラック２の列の間に形成される通路の両端に、扉部１０１Ａなどとして配置されている。本実施形態では、その通路の上部に、天井体４０Ａを備える。天井体４０Ａは、天井体４０Ａの周囲を、電子機器収納ラック２の天井部と、通路の両端において支持体２０Ａによって支持され、設置されている。したがって、人が侵入する余地はなく、人の侵入防止をより強固なものとしている。なお、天井体４０Ａは、人が侵入できない程度の隙間や穴の空いたものでもよく、本実施形態では金網で製作されている。
【００３４】
図２−２Ａは、本発明の第２の実施形態におけるロック装置の詳細を、部分的に表わした正面図である。なお、壁体１０Ａに備えられたロック装置３０は、壁体１０Ａの内部にあるので、点線で表わしている。ロック装置３０は、扉部１０１Ａは引き戸なので、引き戸用の電気錠である。一方の扉部１０１に引き戸用の電気錠の本体が備えられ、他方の扉部１０１に本体の鎌が係合する受座が備えられ、施錠する時には、他方の扉部１０１Ａが一方の扉部１０１Ａに当たった状態で、コネクターを経由して施錠信号を受けた電気錠の本体から鎌が受座に掛かり、施錠される。なお、本実施形態では電気錠を用いたが、機械式錠を用いてもよい。
【００３５】
図２−２Ｂは、本発明の第２の実施形態におけるロック装置の詳細を、部分的に表わした断面図である。上述のとおり、両扉部１０１Ａは、支持体２０Ａに懸架され、摺接自在に取り付けられるので、左の扉部１０１Ａの右端と右の扉部１０１Ａの左端が当接し、その状態でロック装置３０により両者が互いに係合することで施錠される。
【００３６】
図２−３Ａ、図２−３Ｂ、図２−３Ｃは、本発明の第２の実施形態におけるレール（支持体）付近及び上部ロック装置の詳細を、部分的に表わした正面図、側面図、平面図である。支持体２０Ａが、扉部１０１Ａが壁体吊り下げ部材２０３などにより、扉部１０１Ａを懸架する方法は、上記の実施形態と同じである。上部ロック装置３５は、一方（図では左側）の扉部１０１Ａに配置され、２つの扉部１０１Ａが同時動く不都合を解決すると共に、扉部１０１Ａの片方だけを開くことも可能にする。上部ロック装置３５は、典型的にはフランス落しである。上部ロック装置３５の棒状のかんぬきは、支持体２０の中に係合することにより、片方の扉部１０１Ａだけが施錠される。
なお、支持体２０Ａは、レール２０１Ａ、ローラ２０２、壁体吊り下げ部材２０３、ローラ取り付け部材２０４Ａなどからなるなどの構造は、第１実施形態と同様である。（図１−３Ａ、図１−３Ｂを参照）
【００３７】
＜第３実施形態＞
図３−１Ａは、本発明の第３の実施形態を示した正面図である。なお、上記実施形態と重複する説明は省略する。
セキュリティ装置１Ｂは、壁体１０Ｂとこの壁体の一部を支持する支持体２０Ｂを備える。また、支持体２０Ｂは、電子機器収納ラック２の列の一番端に位置し、通路の両側にある２つの電子機器収納ラック２の一方の側面の一部、即ち、本図では一番手前にある２つの電子機器収納ラック２の一方及び奥行き方向にある電子機器収納ラック２の内の一番奥にある２つの電子機器収納ラック２の一方の側面の一部に当接するように設置される柱２０Ｂを備える。
【００３８】
壁体１０Ｂは、柱部１０２Ｂと扉部１０１Ｂからなる。柱部１０２Ｂは、本図での一番手前にある２つの電子機器収納ラック２の他方及び奥行き方向にある電子機器収納ラック２の内の一番奥にある２つの電子機器収納ラック２の他方の側面の一部に当接するように設置される。扉部１０１Ｂは、通路を塞ぐ程度の高さと幅を有し、ヒンジ２０Ｂ１を介して支持体である柱２０Ｂと開閉自在に支持される。
【００３９】
人が通路の両側の電子機器収納ラック２にアクセスする場合には、人はロック装置３０Ｂを解錠すると共に取っ手１０５Ｂを持ちながら回転させ、扉部１０１Ｂを手前に引き開ける。逆に、人が通路の両側の電子機器収納ラック２にアクセスすることを規制する場合には、人は取っ手１０５Ｂを持ち、扉部１０１Ｂを柱部１０２Ｂに当てることにより閉め、ロック装置３０Ｂを施錠し、柱部１０２Ｂと扉部１０１Ｂを係合させることにより、アクセスすることを規制することが可能となる。この構成によれば、柱部１０２Ｂと扉部１０１Ｂ、扉部１０１Ｂと柱２０Ｂが密着するので、気密性や遮音性も良くなる。
【００４０】
また、天井体４０を備え、人が壁体１０を乗り越えて通路に侵入することを防止する。セキュリティ装置１Ｂはラック内状態表示部１０４を柱部１０２Ｂに備え、各電子機器収納ラック２内の温度、湿度及び電流の値を表示し、現場でラック内の状態を集中的に確認できる。また、セキュリティ装置１Ｂは非接触カードリーダ１０３を柱部１０２Ｂに備え、人が所持する非接触ＩＣカードを非接触カードリーダ１０３にかざし、照合操作を行い、アクセス可能な人であると確認された場合には、ロック装置３０Ｂを解錠する。
【００４１】
図３−１Ｂは、本発明の第３の実施形態を示した側面図である。柱部１０２Ｂと柱２０Ｂが、電子機器収納ラック２の列の一番端に位置することが示されている。本図中、セキュリティ装置１Ｂにおいては、両側の柱部１０２Ｂに備えられた非接触カードリーダ１０３が示されている。
【００４２】
図３−１Ｃは、本発明の第３の実施形態を示した平面図である。上述の通り、セキュリティ装置１Ｂは、電子機器収納ラック２の列の間に形成される通路の両端に、扉部１０１Ｂなどとして配置されている。本実施形態では、その通路の上部に、天井体４０を備える。天井体４０は、電子機器収納ラック２の天井部によって支持され、ネジ止めで固定されている。したがって、人が侵入する余地はなく、人の侵入防止をより強固なものとしている。
【００４３】
図３−２Ａは、本発明の第３の実施形態におけるロック装置の詳細を、部分的に表わした正面図である。なお、壁体１０Ｂに備えられたロック装置３０Ｂは、壁体１０Ｂの内部にあるので、点線で表わしている。ロック装置３０Ｂは、扉部１０１Ｂは開き戸なので、開き戸用の電気錠である。扉部１０１Ｂに開き戸用の電気錠の本体が備えられ、柱部１０２Ｂに本体のかんぬきが係合する受座が備えられ、施錠する時には、扉部１０１Ｂが柱部１０２に当たった状態で、コネクターを経由して施錠信号を受けた電気錠の本体からかんぬきが受座に掛かり、施錠される。なお、本実施形態では電気錠を用いたが、機械式錠を用いてもよい。
【００４４】
図３−２Ｂは、本発明の第３の実施形態におけるロック装置の詳細を、部分的に表わした断面図である。上述のとおり、柱部１０２Ｂは電子機器収納ラック２の側面の一部に取り付けられ、ロック装置３０Ｂの電気錠の受座が備えられている。本実施形態では、柱部１０２Ｂの扉部１０１Ｂ側の面と電子機器収納ラック２の通路３側の面とが一致しているが、これに限定されるものではない。柱部１０２Ｂの扉部１０１Ｂ側の反対の面の位置、即ち、柱部１０２Ｂの幅は、ロック装置３０Ｂの電気錠の受座を備えることができ、柱部１０２Ｂを電子機器収納ラック２に固定できるに十分な幅であればよい。また、柱部１０２Ｂの厚さと扉部１０１Ｂの厚さはほぼ等しく描かれているが、これに限定されるものではない。
【００４５】
図３−３は、本発明の第３の実施形態における柱（支持体）２０Ｂ付近の部分的な詳細図である。支持体である柱２０Ｂは、電子機器収納ラック２の側面において、柱２０Ｂの左端が電子機器収納ラック２の通路３側の面から右方向にずらして当接し、具体的にはネジ止め、溶接、接着剤などにより固定されているが、これに限定されるものではない。
ヒンジ２０Ｂ１は、柱２０Ｂにネジ止めなどにより固定され、また、扉部１０１Ｂとも同様に固定される。ヒンジ２０Ｂ１は、本図では平蝶番であるが、防犯性の優れた隠し蝶番が好ましい。このヒンジ２０Ｂ１により、扉部１０１Ｂと柱２０Ｂが開閉自在に結合されると共に、扉部１０１Ｂの側面が、柱２０Ｂの側面及び電子機器収納ラック２の側面に当接するので、気密性や遮音性も向上する。
柱２０Ｂの幅は、柱２０Ｂが扉部１０１Ｂを支持できる強度を持つ程度に、柱２０Ｂを電子機器収納ラック２に固定できるに十分な幅であればよい。また、柱２０Ｂの厚さと扉部１０１Ｂの厚さはほぼ等しく描かれているが、これに限定されるものではない。
【００４６】
＜第４実施形態＞
図４−１Ａは、本発明の第４の実施形態を示した正面図である。なお、上記実施形態と重複する説明は省略する。
セキュリティ装置１Ｃは、壁体１０Ｃとこの壁体の一部を支持する支持体２０Ｂを備える。支持体２０Ｂは、第３実施形態の柱２０Ｂと同じであり、また、電子機器収納ラック２の列の一番端に位置し、通路の両側にある２つの電子機器収納ラック２の側面の一部、即ち、本図では一番手前にある２つの電子機器収納ラック２及び奥行き方向にある電子機器収納ラック２の内の一番奥にある２つの電子機器収納ラック２の側面の一部に当接するように設置される柱２０Ｂを備える。
【００４７】
壁体１０Ｃは、通路を塞ぐ程度の高さと２つで通路を塞ぐ程度の幅を有した、２つの扉部１０１Ｃからなり、第３実施形態と同様、２つの扉部１０１Ｃは、柱２０Ｂに固定されたヒンジ２０Ｂ１を介して、開閉自在に支持される。また、一方の扉部１０１Ｃは、２つの扉部１０１Ｃが互いにロック装置３０Ｂにより係合する位置を決めるために、上部ロック装置３５を備える。なお、ヒンジ２０Ｂ１の構造は、第３実施形態と同様である。（図３−３参照）
【００４８】
人が通路の両側の電子機器収納ラック２にアクセスする場合には、人はロック装置３０Ｂを解錠すると共に、上部ロック装置３５を備えない方の扉部１０１Ｃの取っ手１０５Ｂを回し、その扉部１０１Ｃを手前方向に開ける。さらに大きく扉部をあけるために上部ロック装置３５を解錠し、上部ロック装置３５を備える方の扉部１０１Ｃの取っ手１０５Ｂを持ち、その扉部１０１Ｃを手前方向に開けることもできる。逆に、人が通路の両側の電子機器収納ラック２にアクセスすることを規制する場合には、人は上部ロック装置３５を備える方の扉部１０１Ｃの取っ手１０５Ｂを持ち、扉部１０１Ｃを図上向こう方向に閉め、上部ロック装置３５を施錠すると共に、２つの扉部１０１Ｃ同士を当て、ロック装置３０Ｂを施錠し、２つの扉部１０１Ｃを係合させることにより、アクセスすることを規制することが可能となる。この構成によれば、扉部が２枚の開き戸として機能するので、扉部の前面に大きなスペースは不要とすることができると共に、半分ずつ扉部を開けたり閉めたりすることができる。
【００４９】
また、セキュリティ装置１Ｃは非接触カードリーダ１０３を柱２０Ｂに備え、人が所持する非接触ＩＣカードを非接触カードリーダ１０３にかざし、照合操作を行い、アクセス可能な人であると確認された場合には、ロック装置３０Ｂを解錠する。さらにまた、セキュリティ装置１Ｃはラック内状態表示部１０４を柱２０Ｂに備え、各電子機器収納ラック２内の温度、湿度及び電流の値を表示し、現場でラック内の状態を集中的に確認できる。
【００５０】
図４−１Ｂは、本発明の第４の実施形態を示した側面図である。柱２０Ｂが、電子機器収納ラック２の列の一番端に位置することが示されている。本図中、セキュリティ装置１Ｃにおいては、両側の柱２０Ｂに備えられた非接触カードリーダ１０３が示されている。
【００５１】
図４−１Ｃは、本発明の第４の実施形態を示した平面図である。セキュリティ装置１Ｃは、電子機器収納ラック２の列の間に形成される通路の両端に、扉部１０１Ｃなどとして配置されている。本実施形態では、その通路の上部に、天井体４０を備える。したがって、人が侵入する余地はなく、人の侵入防止をより強固なものとしている。
【００５２】
図４−２Ａは、本発明の第４の実施形態におけるロック装置の詳細を、部分的に表わした正面図である。なお、壁体１０Ａに備えられたロック装置３０Ｂは、壁体１０Ａの内部にあるので、点線で表わしている。ロック装置３０Ｂは、扉部１０１Ｃは開き戸なので、開き戸用の電気錠である。一方の扉部１０１Ｃに開き戸用の電気錠の本体が備えられ、他方の扉部１０１Ｃに本体のかんぬきが係合する受座が備えられ、施錠する時には、一方の扉部１０１Ｃが他方の扉部１０１Ｃに当たった状態で、コネクターを経由して施錠信号を受けた電気錠の本体からかんぬきが受座に掛かり、施錠される。なお、本実施形態では電気錠を用いたが、機械式錠を用いてもよい。
【００５３】
図４−２Ｂは、本発明の第４の実施形態におけるロック装置の詳細を、部分的に表わした断面図である。上述のとおり、両扉部１０１Ｃは、柱部２０Ｂに支持され、開閉自在に取り付けられるので、左の扉部１０１Ｃの右端と右の扉部１０１Ｃの左端が当接し、その状態でロック装置３０Ｂにより両者が互いに係合することで施錠される。
【００５４】
図４−３Ａ、図４−３Ｂ、図４−３Ｃは、本発明の第４の実施形態における上部ロック装置の詳細を、部分的に表わした正面図、側面図、平面図である。上部ロック装置３５は、一方（図では左側）の扉部１０１Ｃに配置され、２つの扉部１０１Ｃが同時動く不都合を解決すると共に、扉部１０１Ｃの片方だけを開くことも可能にする。上部ロック装置３５は、典型的にはフランス落しである。上部ロック装置３５の棒状のかんぬきは、ローラ取り付け部材２０４に係合することにより、片方の扉部１０１Ｃだけが施錠される。
【００５５】
＜第５実施形態＞
図５−１Ａは、本発明の第５の実施形態を示した正面図である。なお、上記実施形態と重複する説明は省略する。
セキュリティ装置１Ｄは、壁体１０Ｄとこの壁体の一部を支持する支持体２０Ｃを備える。また、支持体２０Ｃは、電子機器収納ラック２の列の一番端に位置し、通路の両側にある２つの電子機器収納ラック２の一方の側面の一部、即ち、本図では一番手前にある２つの電子機器収納ラック２の一方及び奥行き方向にある電子機器収納ラック２の内の一番奥にある２つの電子機器収納ラック２の一方の側面の一部に当接するように設置されるヒンジ（支持体）２０Ｃを備える。
【００５６】
壁体１０Ｄは、柱部１０２Ｂと扉部１０１Ｄからなる。柱部１０２Ｂは、本図での一番手前にある２つの電子機器収納ラック２の他方及び奥行き方向にある電子機器収納ラック２の内の一番奥にある２つの電子機器収納ラック２の他方の側面の一部に当接するように設置される。扉部１０１Ｄは、通路を塞ぐ程度の高さと幅を有し、ヒンジ（支持体）２０Ｃにより開閉自在に支持される。柱部１０２Ｂの構造は、第３実施形態の柱部と同じである。
【００５７】
人が通路の両側の電子機器収納ラック２にアクセスする場合には、人はロック装置３０Ｂを解錠すると共に取っ手１０５Ｂを持ちながら回転させ、扉部１０１Ｄを手前に引き開ける。逆に、人が通路の両側の電子機器収納ラック２にアクセスすることを規制する場合には、人は取っ手１０５Ｂを持ち、扉部１０１Ｄを柱部１０２Ｂに当てることにより閉め、ロック装置３０Ｂを施錠し、柱部１０２Ｂと扉部１０１Ｄを係合させることにより、アクセスすることを規制することが可能となる。この構成によれば、柱部１０２Ｂと扉部１０１Ｄ、扉部１０１Ｄと電子機器収納ラック２の側面が密着するので、気密性や遮音性も良くなる。
【００５８】
また、天井体４０を備え、人が壁体１０を乗り越えて通路に侵入することを防止する。セキュリティ装置１Ｄはラック内状態表示部１０４を柱部１０２Ｂに備え、各電子機器収納ラック２内の温度、湿度及び電流の値を表示し、現場でラック内の状態を集中的に確認できる。また、セキュリティ装置１Ｄは非接触カードリーダ１０３を柱部１０２Ｂに備え、人が所持する非接触ＩＣカードを非接触カードリーダ１０３にかざし、照合操作を行い、アクセス可能な人であると確認された場合には、ロック装置３０Ｂを解錠する。
なお、ロック装置３０Ｂの構造は、第３実施形態と同様である。（図３−２参照）
【００５９】
図５−１Ｂは、本発明の第５の実施形態を示した側面図である。扉部１０１Ｄなどが、電子機器収納ラック２の列の一番端に位置することが示されている。本図中、セキュリティ装置１Ｄにおいては、両側の柱部１０２Ｂに備えられた非接触カードリーダ１０３が示されている。
【００６０】
図５−１Ｃは、本発明の第５の実施形態を示した平面図である。上述の通り、セキュリティ装置１Ｄは、電子機器収納ラック２の列の間に形成される通路の両端に、扉部１０１Ｄなどとして配置されている。本実施形態では、その通路の上部に、天井体４０を備える。したがって、人が侵入する余地はなく、人の侵入防止をより強固なものとしている。
【００６１】
図５−２は、本発明の第５の実施形態におけるヒンジ（支持体）付近の部分的な詳細図である。２つの支持体であるヒンジ２０Ｃが、電子機器収納ラック２の側面に固定されているが、これに限定されるものではない。ヒンジ（支持体）２０Ｃは、電子機器収納ラック２の側面にネジ止めなどにより固定され、また、扉部１０１Ｄとも同様に固定される。このヒンジ２０Ｃにより、扉部１０１Ｄと電子機器収納ラック２の側面が開閉自在に結合されると共に、扉部１０１Ｄの側面が、電子機器収納ラック２の側面に当接するので、気密性や遮音性も向上する。
【００６２】
＜第６実施形態＞
図６−１Ａは、本発明の第６の実施形態を示した正面図である。なお、上記実施形態と重複する説明は省略する。
セキュリティ装置１Ｅは、壁体１０Ｅとこの壁体の一部を支持する支持体２０Ｃを備える。支持体２０Ｃは、第５実施形態のヒンジ（支持体）２０Ｃと同じであり、また、電子機器収納ラック２の列の一番端に位置し、通路の両側にある２つの電子機器収納ラック２の側面の一部、即ち、本図では一番手前にある２つの電子機器収納ラック２及び奥行き方向にある電子機器収納ラック２の内の一番奥にある２つの電子機器収納ラック２の側面の一部に当接するように設置されるヒンジ（支持体）２０Ｃを備える。
【００６３】
壁体１０Ｅは、通路を塞ぐ程度の高さと２つで通路を塞ぐ程度の幅を有した、２つの扉部１０１Ｅからなり、第５実施形態と同様、２つの扉部１０１Ｅは、ヒンジ（支持体）２０Ｃに開閉自在に支持される。また、一方の扉部１０１Ｅは、２つの扉部１０１Ｅが互いにロック装置３０Ｂにより係合する位置を決めるために、上部ロック装置３５を備える。
【００６４】
人が通路の両側の電子機器収納ラック２にアクセスする場合には、人はロック装置３０Ｂを解錠すると共に、上部ロック装置３５を備えない方の扉部１０１Ｅの取っ手１０５Ｂを回し、その扉部１０１Ｅを手前方向に開ける。さらに大きく扉部をあけるために上部ロック装置３５を解錠し、上部ロック装置３５を備える方の扉部１０１Ｅの取っ手１０５Ｂを持ち、その扉部１０１Ｅを手前方向に開けることもできる。逆に、人が通路の両側の電子機器収納ラック２にアクセスすることを規制する場合には、人は上部ロック装置３５を備える方の扉部１０１Ｅの取っ手１０５Ｂを持ち、扉部１０１Ｅを図上向こう方向に閉め、上部ロック装置３５を施錠すると共に、２つの扉部１０１Ｅ同士を当て、ロック装置３０Ｂを施錠し、２つの扉部１０１Ｅを係合させることにより、アクセスすることを規制することが可能となる。この構成によれば、扉部が２枚の開き戸として機能するので、扉部の前面に大きなスペースは不要とすることができると共に、半分ずつ扉部を開けたり閉めたりすることができる。
【００６５】
また、セキュリティ装置１Ｅは非接触カードリーダ１０３を扉部１０１Ｅに備え、人が所持する非接触ＩＣカードを非接触カードリーダ１０３にかざし、照合操作を行い、アクセス可能な人であると確認された場合には、ロック装置３０Ｂを解錠する。さらにまた、セキュリティ装置１Ｅはラック内状態表示部１０４を扉部１０１Ｅに備え、各電子機器収納ラック２内の温度、湿度及び電流の値を表示し、現場でラック内の状態を集中的に確認できる。
【００６６】
図６−１Ｂは、本発明の第６の実施形態を示した側面図である。扉部１０１Ｅなどが、電子機器収納ラック２の列の一番端に位置することが示されている。本図中、セキュリティ装置１Ｅにおいては、両側の扉部１０１Ｅに備えられた非接触カードリーダ１０３が示されている。
【００６７】
図６−１Ｃは、本発明の第６の実施形態を示した平面図である。セキュリティ装置１Ｅは、電子機器収納ラック２の列の間に形成される通路の両端に、扉部１０１Ｅなどとして配置されている。本実施形態では、その通路の上部に、天井体４０を備える。したがって、人が侵入する余地はなく、人の侵入防止をより強固なものとしている。
なお、ロック装置３０Ｂ及び上部ロック装置３５の構造は、第４実施形態と同様である。（図３−２、図４−３Ａ、図４−３Ｂ、図４−３Ｃ参照）
【００６８】
図７は、本発明の一実施形態をおけるラック内状態表示部１０４を示す。上記実施形態で述べた通路３の両側に３台ずつ、合計６台の電子機器収納ラック２がある場合のラック内状態表示部１０４である。各電子機器収納ラック２における、温度、湿度、及び電流が表示されている。これを実現するためには、各電子機器収納ラック２において、ネットワーク機能を有し、温度、湿度及び電流を測定できる装置（例えば、ＰＤＵ  Ｓｅｒｉｅｓ  中央電子株式会社販売。図示せず）を設置し、この装置とラック内状態表示部１０４とを通信ケーブルなどで連結することが必要である。
これにより、各電子機器収納ラック２内の温度、湿度、使用している電流値がそれぞれ表示されるので、現場でラック内の状態を集中的に確認できる。
【００６９】
上記支持体の柱及び壁体の柱部は、電子機器収納ラックの側面に一体成型して設けてもよい。
【符号の説明】
【００７０】
１、１Ａ、１Ｂ、１Ｃ、１Ｄ、１Ｅ      セキュリティ装置
２          電子機器収納ラック
３          通路
１０、１０Ａ、１０Ｂ、１０Ｃ、１０Ｄ、１０Ｅ      壁体
１０１、１０１Ａ、１０１Ｂ、１０１Ｃ、１０１Ｄ、１０１Ｅ      扉部
１０２、１０２Ｂ      柱部
１０３      非接触カードリーダ
１０４      ラック内状態表示部
１０５      取っ手（引き戸用）
１０５Ｂ    取っ手（開き戸用）
２０、２０Ａ      レール（支持体）
２０１、２０１Ａ      レール
２０２      ローラ
２０３      壁体吊り下げ部材
２０４、２０４Ａ      ローラ取り付け部材
２０Ｂ      柱（支持体）
２０Ｂ１    ヒンジ
２０Ｃ      ヒンジ（支持体）
３０        ロック装置（引き戸用）
３０Ｂ      ロック装置（開き戸用）
３５        上部ロック装置
４０        天井体
４０Ｂ      金網天井体
【図１−１Ａ】
2011187813.tif 000003
【図１−１Ｂ】
2011187813.tif 000004
【図１−１Ｃ】
2011187813.tif 000005
【図１−２Ａ】
2011187813.tif 000006
【図１−２Ｂ】
2011187813.tif 000007
【図１−３Ａ】
2011187813.tif 000008
【図１−３Ｂ】
2011187813.tif 000009
【図２−１Ａ】
2011187813.tif 000010
【図２−１Ｂ】
2011187813.tif 000011
【図２−１Ｃ】
2011187813.tif 000012
【図２−２Ａ】
2011187813.tif 000013
【図２−２Ｂ】
2011187813.tif 000014
【図２−３Ａ】
2011187813.tif 000015
【図２−３Ｂ】
2011187813.tif 000016
【図２−３Ｃ】
2011187813.tif 000017
【図３−１Ａ】
2011187813.tif 000018
【図３−１Ｂ】
2011187813.tif 000019
【図３−１Ｃ】
2011187813.tif 000020
【図３−２Ａ】
2011187813.tif 000021
【図３−２Ｂ】
2011187813.tif 000022
【図３−３】
2011187813.tif 000023
【図４−１Ａ】
2011187813.tif 000024
【図４−１Ｂ】
2011187813.tif 000025
【図４−１Ｃ】
2011187813.tif 000026
【図４−２Ａ】
2011187813.tif 000027
【図４−２Ｂ】
2011187813.tif 000028
【図４−３Ａ】
2011187813.tif 000029
【図４−３Ｂ】
2011187813.tif 000030
【図４−３Ｃ】
2011187813.tif 000031
【図５−１Ａ】
2011187813.tif 000032
【図５−１Ｂ】
2011187813.tif 000033
【図５−１Ｃ】
2011187813.tif 000034
【図５−２】
2011187813.tif 000035
【図６−１Ａ】
2011187813.tif 000036
【図６−１Ｂ】
2011187813.tif 000037
【図６−１Ｃ】
2011187813.tif 000038
【図７】
2011187813.tif 000039